(57)【要約】【課題】古い壁紙の特性を活かした状態で迅速に壁面を再生できるようにした壁面再生工法を提供する。【解決手段】壁面に貼り付けられた壁紙の剥がれや傷などの破損部分を剥がすとともに、コンセントの化粧カバーなどの非露出部分にある壁紙を切り取って前記剥がした領域に貼り付ける。そして、この貼り付けによって平坦化された壁紙について、その上からスチレン・アクリル樹脂を１０乃至２０重量パーセント含む樹脂エマルジョンを３０乃至４０重量パーセント、顔料として３０乃至５０重量パーセントを有する顔料系塗布剤をエアレスで噴霧して新たな壁面を形成する。【選択図】図１
2014009529.tif 000002
【特許請求の範囲】
【請求項１】
壁面に貼り付けられた壁紙の剥がれや傷などの破損部分を再生して表面を平坦化させる工程と、
上記平坦化された壁面に、樹脂エマルジョンとして３０乃至４０重量パーセント、顔料として３０乃至５０重量パーセントを有する顔料系塗布剤を噴霧して新たな壁面を形成する工程と、
を備えるようにした壁面再生工法。
【請求項２】
樹脂エマルジョンが、樹脂が１０乃至２０重量パーセントで含まれるものである請求項１に記載の壁面再生工法。
【請求項３】
前記樹脂が、スチレン−アクリル樹脂である請求項１に記載の壁面再生工法。
【請求項４】
前記平坦化させる工程が、壁紙の破損部分を部分的に剥がす工程と、コンセントの化粧カバー、照明器具などの非露出部分の壁紙を切り取り、前記剥がした領域に貼り付ける工程とを備えてなる請求項１に記載の壁面再生工法。
【発明の詳細な説明】
【技術分野】
【０００１】
本発明は、例えば、汚れたり傷ついたりした壁紙を再生する壁面再生工法に関するものであり、より詳しくは、古い壁紙を剥がすことなく壁面に再生できるようにした壁面再生工法に関するものである。
【背景技術】
【０００２】
一般的に、古い壁紙を剥がして新しい壁紙を貼り付ける場合、次のような工法で作業を行う。
【０００３】
まず、古い壁紙を剥がして新しい壁紙を貼り付ける場合、ヘラなどを用いて古い壁紙を剥がし、その際、剥がし残しがないようにヘラなどを使って壁面を平坦化していく。また、このとき、壁面に凹みなどが存在する場合は、パテや粘土剤などのような材料でその凹みを穴埋めし、その後、新たな壁紙を貼り付けていく。
【０００４】
しかしながら、このような工法では、古い壁紙を剥がすのに非常に時間がかかるばかりでなく、大量の古い壁紙が産業廃棄物として発生してしまうという問題がある。
【０００５】
そこで、このような古い壁紙を剥がすことなく、その上から新たな壁紙を貼り付けていく方法も提案されている（特許文献１）。このような方法によれば、古い壁紙を剥がす必要がないため、リフォームの作業時間を短縮化することができるとともに、産業廃棄物の発生を防止することができるというメリットがある。
【先行技術文献】
【特許文献】
【０００６】
【特許文献１】特開２００３−２７８３５９号公報
【発明の概要】
【発明が解決しようとする課題】
【０００７】
しかしながら、このような特許文献１に記載される工法においても、次のような問題を生ずる。
【０００８】
すなわち、上記特許文献１に記載される方法では、例えば、下地となる壁紙が、使用者のお気に入りの凹凸模様を有する素材であったり、あるいは、表面に微小孔を有する吸音性素材などであったりするような場合、その上から糊剤を塗布して新たな壁紙を貼り付けると、下地の凹凸模様や吸音効果がなくなってしまう。また、下地となる壁紙の上に糊剤を塗布する場合、通常の糊の濃さを有する糊剤をローラーや刷毛で塗布していく必要があるため、そのようなローラーや刷毛で塗布すると時間がかかるばかりでなく、その糊剤が乾かないうちに新たらしい壁紙を貼り付けて行かなければならないため、作業の迅速性が要求される。
【０００９】
そこで、本発明は、上記課題を解決するために、古い壁紙の特性を活かした状態で迅速に壁面を再生できるようにした壁面再生工法を提供することを目的とするものである。
【課題を解決するための手段】
【００１０】
すなわち、本発明は上記課題を解決するために、壁面に貼り付けられた壁紙の剥がれや傷などの破損部分を再生して表面を平坦化させる工程と、上記平坦化された壁面に、樹脂エマルジョンとして３０乃至４０重量パーセント、顔料として３０乃至５０重量パーセントを有する顔料系塗布剤を噴霧して新たな壁面を形成する工程とを備えるようにしたものである。
【００１１】
このようにすれば、樹脂エマルジョンと顔料の最適な成分パーセントによって、古い壁紙の表面に噴霧で薄い塗膜を形成することができ、下地となる壁紙の模様や吸音性能などを大きく変えることなく、表面をきれいに再生することができるようになる。しかも、エアレスなどによって顔料系塗布剤を噴霧することができるので、作業時間を著しく短縮化することができるようになる。
【００１２】
また、このような発明において、樹脂エマルジョンとして、樹脂が１０乃至２０重量パーセント含むようにする。
【００１３】
さらに、このような樹脂として、スチレン−アクリル樹脂を用いるようにする。
【００１４】
加えて、壁面を平坦化させる場合、壁紙の破損部分を部分的に剥がす工程と、コンセントの化粧カバー、照明器具などの非露出部分の壁紙を切り取り、前記剥がした領域に貼り付ける工程とを備えるようにする。
【発明の効果】
【００１５】
本発明によれば、壁面に貼り付けられた壁紙の剥がれや傷などの破損部分を再生して表面を平坦化させる工程と、上記平坦化された壁面に、樹脂エマルジョンとして３０乃至４０重量パーセント、顔料として３０乃至５０重量パーセントを有する顔料系塗布剤を噴霧して新たな壁面を形成する工程とを備えるようにしたので、樹脂エマルジョンと顔料の最適な配合パーセントによって、古い壁紙の表面に薄い塗膜を形成することができるようになる。これにより、下地となる壁紙の凹凸模様や吸音性能などを大きく変えることなく、表面をきれいに再生することができるようになる。しかも、エアレスによって顔料系塗布剤を噴霧することができるので、作業時間を著しく短縮化させることができ、低コストに壁面を再生することができるようになる。
【図面の簡単な説明】
【００１６】
【図１】本発明の一実施の形態を示す壁面再生行程を示す図
【発明を実施するための形態】
【００１７】
以下、本発明の一実施の形態について図面を参照して説明する。この実施の形態における壁面再生工法は、室内空間の壁面や天井などに貼られた既存の壁紙の上から壁面塗布剤を噴霧することによって、既存の壁紙の凹凸模様や質感、消音特性などを活かして、きれいな壁面に仕上げられるようにしたものであり、次の各工程によって実施される。
【００１８】
まず、第一工程では、壁面に塗料を塗布するための事前準備を行う。この事前準備では、例えば、共用廊下や通路、資材置場などを養生し、その状態で資材を搬入する。そして、室内扉や照明器具、家具などを撤去し、壁紙を貼り付けた壁面をすべて露出させ、ビニルシートや養生テープで壁面の再生部分以外の領域を養生する。
【００１９】
次の第二工程では、まず、再生の対象となる壁面をスポンジなどで油汚れなどを除去する。この際、壁紙にキズなどが存在する場合は、そのキズや汚れなどを有する部分を矩形状に剥がし、その部分についてあらかじめ準備しておいた壁紙を貼り付けるか、あるいは、コンセントの化粧パネルの裏側、照明器具で隠れた部分（非露出領域）に貼り付けられている壁紙を切り取り、その切り取った壁紙をキズ部分の剥がした領域に貼り付ける。この際、切り取った矩形形状に隙間がないように壁紙を貼り付けていく。また、壁面に凹みが存在する場合は、粘土などの素材を用いてその凹みを穴埋めし、表面を平坦化しておく。このように、非露出領域の壁紙を剥がしてキズ部分の剥がした領域に貼り付ければ、撥水性能や吸音性能、膜厚などが同じ壁紙を使用するため、その上から噴霧処理する場合であっても、その領域のみ他の部分と雰囲気が異なってしまうといったことがなくなる。しかも、在庫切れなどによって同じ素材の壁紙が存在しない場合であっても、そのキズ部分の領域に同じ素材の壁紙を貼り付けることができることになる。
【００２０】
第三工程では、このように壁面を平坦化した後に、壁面の油分を取り除く作業を行う。この油分の取り除き作業では、シーラーと呼ばれる下地処理剤を塗布して油分などを被覆するか、あるいは、軽く湿らせたスポンジや霧吹きなどによって壁紙に水分を付着させ、水弾きした部分について界面活性剤やアルコールなどによって油分を取り除く。
【００２１】
このように事前作業を施した後、次の第四工程で、壁面塗布剤をエアレスで吹き付けて薄く塗布していく。このとき、吹き付けの厚みとしては、下地の黄ばみや汚れなどを隠すことができ、かつ、下地が吸音性素材である場合はその多孔が埋まらないような厚みとしておく。このような厚みは、刷毛やローラーでは不可能なものであるが、この実施の形態ではエアレスで噴霧できるような成分パーセントとなっているため、非常に薄くかつ汚れを隠すことができるようになる。
【００２２】
ここで、この噴霧処理で使用される壁面塗布剤としては、樹脂、顔料、溶剤、添加剤、水を含むものを用いる。
【００２３】
この壁面塗布剤について詳細に説明すると、樹脂成分としては、結合剤としてスチレン・アクリル樹脂を水中で乳化させたエマルジョンを用いる。これらの成分としては、樹脂（固形分）としてのパーセントが多ければ塗料を壁面に強く固化させることができるが、このように成分パーセントが高くなると粘性が強くなるため、塗膜が厚くなって下地の壁紙の模様や質感がなくなってしまい、また、吸音用の多孔まで塞いでしまう可能性がある。一方、そのパーセントが小さ過ぎれば粘性が弱くなってしまい、壁面に身体を接触させた場合に顔料が身体に付着してしまう可能性がある。このため、好ましくはスチレン・アクリル樹脂のパーセントとして１０乃至２０重量パーセントの範囲内で含ませ、好ましくは、１３乃至１７重量パーセントの範囲内としておくようにする。また、このスチレン・アクリル樹脂を含むエマルジョンとしては、３０乃至４０重量パーセント（好ましくは３３乃至３７重量パーセント）の範囲内としておく。
【００２４】
顔料としては、白色にするための着色顔料として酸化チタンを用い、また、塗膜に厚みを持たせるための体質顔料としてタルク、焼成ケイ酸アルミニウム、白雲母、水酸化アルミニウムなどを用いる。さらに、壁面を好みの色に仕上げるための顔料として、オーカー色にする場合は黄色酸化鉄、赤さび色にする場合は赤色酸化鉄、黒色にする場合はカーボンブラック、青色系統にする場合はフタロシアニンブルー、赤や黄色にする場合は有機系赤・黄顔料などを用いる。これらの顔料の成分パーセントとしては、一般的に壁面は白色系であることが多いため、酸化チタンとして１０乃至２０重量パーセント、体質顔料としてタルク１０乃至１５重量パーセント、焼成ケイ酸アルミニウム１乃至３重量パーセント、白雲母１乃至３重量パーセント、水酸化アルミニウム０．５乃至１．５重量パーセントとし、黄色酸化鉄や赤色酸化鉄は０乃至５重量パーセントとしておく。また、カーボンブラックやフタロシアニンブルー、有機系赤・黄顔料については０乃至２重量パーセントとしておくが、これらの成分パーセントについては使用者の好みに応じて変更することができる。
【００２５】
溶剤としては、塗膜に柔軟性を付与させるためのフタル酸ジ-n-ブチルや、低温下で塗料を保管できるようにするための材料としてエチレングリコールなどを用いるようにする。これらの溶剤としては、全体に対して０．２乃至１．５重量パーセント程度としておく。
【００２６】
添加剤としては、顔料を均一に分散させて塗料中で顔料の分散状態を安定させるための顔料分散剤や、塗料を塗りやすく、かつ、垂れにくくするための粘性付与剤、防腐のための有機系防菌防黴剤、また、塗料中の泡を減らすための消泡剤などを用いる。これらの各成分パーセントとしては、顔料分散剤を０．５乃至１．５重量パーセント、粘性付与剤として０．１乃至０．５重量パーセント、有機系防菌防黴剤として０．１乃至０．３重量パーセント、消泡剤として０．１重量パーセント程度含有させる。
【００２７】
また、これにその他の成分として、水系塗料のベースとなる水を４０乃至５０重量パーセント含有させ、エアレスでの噴霧後に、この水分を蒸発させることによって壁面に塗膜を形成させるようにする。
【００２８】
そして、次の第五工程では、このように壁面に塗布した壁面塗布剤を３０分乃至１２０分程度放置して自然乾燥させる。この乾燥工程では、ベンゼンなどの有機溶剤を用いていないため、有害物質を発生させることがなく、健康被害などを生じさせるようなことがない。
【００２９】
そして、最後の第六工程では、後処理を行う。この後処理では、養生を撤去するとともに、照明器具や室内扉・家具などを復旧させる。また、エアレスを洗浄してその洗浄液をバケツなどに保管させる。このバケツに保管された洗浄液については、粉体凝集剤を添加・攪拌させて固化させ、フィルターを通して水分と固形物とに分離する。そして、分離した水を排水に流して処理し、固形物は産業廃棄物として処分できるようにする。
【００３０】
このように本実施の形態では、壁面に貼り付けられた壁紙の剥がれや傷などの破損部分を再生して表面を平坦化させる工程と、この平坦化された壁面に、スチレン・アクリル樹脂を１０乃至２０重量パーセント含む樹脂エマルジョンを３０乃至４０重量パーセント、顔料として３０乃至５０重量パーセントを有する顔料系塗布剤を噴霧して新たな壁面を形成する工程とを備えるようにしたので、この最適な成分パーセントによって、古い壁紙の表面に薄い塗膜を形成することができるようになる。これにより、下地となる壁紙の凹凸模様や吸音性能などを大きく変えることなく、表面をきれいに再生することができるようになる。しかも、エアレスで顔料系塗布剤を噴霧することができるので、刷毛やローラーで塗布する場合と比べて著しく作業時間を短縮することができ、また、低コストに作業を行わせることができるようになる。さらには、この塗料は壁紙の表面に付着するだけで内部に浸透することがないため、内側の石膏ボードなどを痛めることもなく、また、樹脂によって表面をコーティングするため、傷の防止や汚れの防止、防火性能などを持たせることができる。
【産業上の利用可能性】
【００３１】
本発明は、室内空間においてすでに貼り付けられている壁紙を再生するリフォームなどの産業分野において好適に用いることができる。
【符号の説明】
【００３２】
１・・・第一工程
２・・・第二工程
３・・・第三工程
４・・・第四工程
５・・・第五工程
６・・・第六工程
【図１】
2014009529.tif 000003